(57)【要約】【課題】  薬剤の使用量を抑えつつ防除効果を大きくできる茶園用薬剤散布機を提供すること。【解決手段】  この茶園用薬剤散布機は、通気孔１１ａを有する第１のカバー部材１１と、この第１のカバー部材１１の内部に取り付けられる第１のノズルパイプ１２とを備える。第１のカバー部材１１により、第１のノズルパイプ１２からの薬剤の飛散を防止する。また、通気孔１１ａから第１のカバー部材１１の内部に空気を流入して、気流を発生し、薬剤を茶木５１の内部に確実に到達させることができる。【選択図】  図４
2005348724.tif 000002
【特許請求の範囲】
【請求項１】
略門型の本体フレームと、
この本体フレームに取り付けられると共にこの本体フレームの略幅方向に延在すると共に下方に開口している噴出孔を有するノズルパイプと、
少なくともこのノズルパイプの噴出孔を内部に配置すると共に下方に開口しているカバー部材とを備え、
このカバー部材は、通気孔を有することを特徴とする茶園用薬剤散布機。
【請求項２】
略門型の本体フレームと、
この本体フレームに取り付けられると共にこの本体フレームの略幅方向に延在するブームと、
このブームに取り付けられると共に上記本体フレームの略幅方向に延在し下方に開口しているカバー部材と、
このカバー部材の内部に取り付けられると共に上記本体フレームの略幅方向に延在すると共に下方に開口している噴出孔を有するノズルパイプとを備え、
上記カバー部材は、通気孔を有することを特徴とする茶園用薬剤散布機。
【請求項３】
請求項１または２に記載の茶園用薬剤散布機において、
上記カバー部材の通気孔は、上記カバー部材の上面に設けられていることを特徴とする茶園用薬剤散布機。
【請求項４】
請求項３に記載の茶園用薬剤散布機において、
上記カバー部材の通気孔は、上記ノズルパイプの噴出孔の略真上に位置していることを特徴とする茶園用薬剤散布機。
【請求項５】
請求項１または２に記載の茶園用薬剤散布機において、
上記カバー部材の通気孔の開閉を調整する開閉調節手段を備えることを特徴とする茶園用薬剤散布機。
【請求項６】
請求項１または２に記載の茶園用薬剤散布機において、
上記カバー部材の下方開口の周縁に、可撓性を有するシート状の補助カバーを設けたことを特徴とする茶園用薬剤散布機。
【請求項７】
請求項１または２に記載の茶園用薬剤散布機において、
上記カバー部材の下方開口の周縁に、可撓性を有する網目状の補助カバーを設けたことを特徴とする茶園用薬剤散布機。
【発明の詳細な説明】
【技術分野】
【０００１】
この発明は、例えば、茶木に農薬等の薬剤を散布する茶園用薬剤散布機に関する。
【背景技術】
【０００２】
従来の茶園用薬剤散布機は、薬剤散布機本体の略幅方向に延在するノズルパイプを備え、このノズルパイプから茶木の上方に向けて薬剤を霧状に散布していた（特開２００２−１４２６４５号公報：特許文献１参照）。
【０００３】
しかしながら、上記従来の茶園用薬剤散布機では、上記ノズルパイプは、外部に露出されているので、このノズルパイプから噴出された霧状の薬剤の一部は、茶木にかからずに、茶木の表面上を漂って、ついには、飛散してしまう問題があった。このため、茶木にかかる薬剤の量が減って、防除効果が小さくなると共に、薬剤の使用量が無駄に多くなる欠点があった。特に、風が吹いているときは、茶木にかかる薬剤の量が一層減少する欠点があった。また、飛散している薬剤は、この薬剤散布機を操作しているオペレータにかかる欠点があった。さらに、飛散している薬剤が、他の茶園にかかり、他の茶園において、管理されない薬剤が散布されたことになり、生産履歴（トレーサビリティ）の信用性をなくす欠点があった。
【０００４】
また、茶木の内部にまで、薬剤を到達させようとすると、ノズルパイプからの噴出圧力を上げる必要があり、薬剤に圧力を加えるポンプや、ノズルパイプ等への負担が大きくなる欠点があり、しかも、この噴出圧力を上げても、それほど良い効果は得られなかった。
【特許文献１】特開２００２−１４２６４５号公報（図５（ｂ））
【発明の開示】
【発明が解決しようとする課題】
【０００５】
そこで、この発明の課題は、薬剤の飛散を防止し、かつ、薬剤を茶木の内部に確実に到達させて、薬剤の使用量を抑えつつ防除効果を大きくできる茶園用薬剤散布機を提供することにある。
【課題を解決するための手段】
【０００６】
上記課題を解決するため、この発明の茶園用薬剤散布機は、
略門型の本体フレームと、
この本体フレームに取り付けられると共にこの本体フレームの略幅方向に延在すると共に下方に開口している噴出孔を有するノズルパイプと、
少なくともこのノズルパイプの噴出孔を内部に配置すると共に下方に開口しているカバー部材とを備え、
このカバー部材は、通気孔を有することを特徴としている。
【０００７】
この発明の茶園用薬剤散布機によれば、上記カバー部材は、少なくとも上記ノズルパイプの噴出孔を内部に配置するので、このノズルパイプから噴出された霧状の薬剤は、風の影響を受けずに、飛散されない。
【０００８】
また、薬剤の飛散が防止されるので、薬剤がオペレータに付着することを防止し、オペレータの健康を害することがない。しかも、この薬剤散布機本体への薬剤の付着を少なくして、錆の発生を防止し、この薬剤散布機の故障を少なくする。さらに、他の茶園への薬剤の漂着を防止して、他の茶園において、生産管理の妨げにならないようにし、厳正な生産履歴（トレーサビリティ）によって、信用性を向上できる。特に、風が吹いているときでも、薬剤の飛散を確実に防止して、茶木への散布付着率を向上し、防除効果を大きくしつつ、薬剤の過剰投入を抑制できる。
【０００９】
また、上記カバー部材は、通気孔を有するので、上記ノズルパイプから薬剤を噴出したとき、上記通気孔から上記カバー部材の内部へ空気が流入されて気流が発生し、この気流により、上記薬剤が、上記カバー部材の開口から遠くまで運ばれる。すなわち、上記カバー部材は、エジェクタの外筒として機能する。このように、薬剤を茶木の内部に確実に到達させることができて、防除効果を一層大きくできる。また、上記気流によって空気と薬剤が良く混合し、更に霧状化が向上して茶木内の隅々への薬剤の付着率が向上する。
【００１０】
また、この発明の茶園用薬剤散布機は、
略門型の本体フレームと、
この本体フレームに取り付けられると共にこの本体フレームの略幅方向に延在するブームと、
このブームに取り付けられると共に上記本体フレームの略幅方向に延在し下方に開口しているカバー部材と、
このカバー部材の内部に取り付けられると共に上記本体フレームの略幅方向に延在すると共に下方に開口している噴出孔を有するノズルパイプとを備え、
上記カバー部材は、通気孔を有することを特徴としている。
【００１１】
この発明の茶園用薬剤散布機によれば、上記ノズルパイプは、上記カバー部材の内部に取り付けられているので、このノズルパイプから噴出された霧状の薬剤は、風の影響を受けずに、飛散されない。
【００１２】
また、薬剤の飛散が防止されるので、薬剤がオペレータに付着することを防止し、オペレータの健康を害することがない。しかも、この薬剤散布機本体への薬剤の付着を少なくして、錆の発生を防止し、この薬剤散布機の故障を少なくする。さらに、他の茶園への薬剤の漂着を防止して、他の茶園において、生産管理の妨げにならないようにし、厳正な生産履歴（トレーサビリティ）によって、信用性を向上できる。特に、風が吹いているときでも、薬剤の飛散を確実に防止して、茶木への散布付着率を向上し、防除効果を大きくしつつ、薬剤の過剰投入を抑制できる。
【００１３】
また、上記カバー部材は、通気孔を有するので、上記ノズルパイプから薬剤を噴出したとき、上記通気孔から上記カバー部材の内部へ空気が流入されて気流が発生し、この気流により、上記薬剤が、上記カバー部材の開口から遠くまで運ばれる。すなわち、上記カバー部材は、エジェクタの外筒として機能する。このように、薬剤を茶木の内部に確実に到達させることができて、防除効果を一層大きくできる。また、上記気流によって空気と薬剤が良く混合し、更に霧状化が向上して茶木内の隅々への薬剤の付着率が向上する。
【００１４】
また、一実施形態の茶園用薬剤散布機では、上記カバー部材の通気孔は、上記カバー部材の上面に設けられている。
【００１５】
この一実施形態の茶園用薬剤散布機によれば、気流方向と噴出方向とを略一致させることができ、薬剤を無駄なく確実に噴出することができる。
【００１６】
また、一実施形態の茶園用薬剤散布機では、上記カバー部材の通気孔は、上記ノズルパイプの噴出孔の略真上に位置している。
【００１７】
この一実施形態の茶園用薬剤散布機によれば、気流方向と噴出方向とを略直線状に一致させることができ、薬剤を一層無駄なく確実に噴出することができる。
【００１８】
また、一実施形態の茶園用薬剤散布機では、上記カバー部材の通気孔の開閉を調整する開閉調節手段を備えている。
【００１９】
この一実施形態の茶園用薬剤散布機によれば、上記カバー部材の通気孔の大きさを調整することで、茶木の大きさに合わせて、薬剤の到達距離を調整でき、薬剤を効率よく散布できる。
【００２０】
また、一実施形態の茶園用薬剤散布機では、上記カバー部材の下方開口の周縁に、可撓性を有するシート状の補助カバーを設けている。
【００２１】
この一実施形態の茶園用薬剤散布機によれば、上記カバー部材の下方開口の周縁に、シート状の補助カバーを設けているので、上記ノズルパイプから噴出された霧状の薬剤は、上記カバー部材および上記補助カバーの内部で飽和状態となって、上記カバー部材および上記補助カバーの内面に水滴となり付着して、上記カバー部材および上記補助カバーの内面を伝わって、茶木上に落下する。このように、薬剤の無駄がなくなると共に、防除効果が大きくなる。また、上記補助カバーは可撓性を有するので、薬剤を散布するときに、上記補助カバーが茶葉に接触しても、茶葉を痛めない。
【００２２】
また、一実施形態の茶園用薬剤散布機では、上記カバー部材の下方開口の周縁に、可撓性を有する網目状の補助カバーを設けている。
【００２３】
この一実施形態の茶園用薬剤散布機によれば、上記カバー部材の下方開口の周縁に、網目状の補助カバーを設けているので、上記ノズルパイプから噴出された霧状の薬剤は、上記カバー部材および上記補助カバーの内部で飽和状態とならないで水滴にならずに、茶木上に万遍なくいきわたる。このように、茶木に略均一に薬剤を散布することができる。また、上記補助カバーは可撓性を有するので、薬剤を散布するときに、上記補助カバーが茶葉に接触しても、茶葉を痛めない。また、上記網目状の補助カバーでは、コストの低減を図ることができる。
【００２４】
また、一実施形態の茶園用薬剤散布機では、上記網目状の補助カバーの網目の数は、２０〜５０メッシュである。
【００２５】
この一実施形態の茶園用薬剤散布機によれば、上記網目状の補助カバーの網目の数は、２０〜５０メッシュであるので、上記ノズルパイプから噴出された霧状の薬剤は、水滴にならず、かつ、風によって飛散しない。すなわち、上記補助カバーの網目の数が、５０メッシュを越えると、霧状の薬剤は、飽和状態になって、水滴になる。一方、上記補助カバーの網目の数が、２０メッシュ未満であると、風の影響を受けて、飛散する。
【発明の効果】
【００２６】
この発明の茶園用薬剤散布機によれば、ノズルパイプは、カバー部材の内部に取り付けられ、このカバー部材は、通気孔を有するので、薬剤の飛散を防止し、かつ、薬剤を茶木の内部に確実に到達させて、薬剤の使用量を抑えつつ防除効果を大きくできる。
【発明を実施するための最良の形態】
【００２７】
以下、この発明を図示の実施の形態により詳細に説明する。
【００２８】
（第１の実施形態）
図１は、この発明の茶園用薬剤散布機の一実施形態である背面図を示している。図２は、この発明の茶園用薬剤散布機の側面図を示している。図１と図２に示すように、この茶園用薬剤散布機は、略門型の本体フレーム１と、この本体フレーム１の左右の脚部１ａ，１ａの下端に取り付けられた走行部２と、上記本体フレーム１の後部に取り付けられた薬剤散布部３とを備える。
【００２９】
上記本体フレーム１は、茶畝５０を跨ぐ大きさに設定されている。この茶畝５０は、略直線状に配置された複数の茶木５１にて構成されている。
【００３０】
上記走行部２は、前後の車輪と、前後の車輪を取り巻くように取り付けられた無限軌道とを有する。なお、上記走行部２は、無限軌道に限定されず、タイヤ付の車輪のみの構成であってもよい。
【００３１】
上記薬剤散布部３は、農薬等の薬剤を散布するとき、茶畝５０に上方から接近して、茶畝５０に上方から薬剤を散布する一方、薬剤を散布しないとき、茶畝５０から上方へ離間して、茶畝５０から退避するように構成されている。
【００３２】
そして、オペレータは、上記本体フレーム１の上面の運転部４にて、茶園用薬剤散布機を操作することで、茶園用薬剤散布機は、茶畝５０を跨いで走行しながら、走行方向と逆側で薬剤を散布する。
【００３３】
上記運転部４は、座席４１と、走行操作のためのハンドル４２と、各種装置の制御基盤とを有する。上記本体フレーム１上には、上記走行部２および上記薬剤散布部３の駆動のためのエンジン５が搭載されている。
【００３４】
上記本体フレーム１上には、左右両側の薬液タンク６，６と、この薬液タンク６内の薬液を上記薬剤散布部３へ送出する薬液ポンプ７と、この薬液ポンプ７から上記薬剤散布部３への薬液の流量の調整をする操作コック８とが、設けられている。
【００３５】
上記薬剤散布部３は、リンク機構９を介して、上記本体フレーム１に取り付けられる。上記本体フレーム１と上記リンク機構９との間には、昇降用シリンダ６１が設けられ、この昇降用シリンダ６１の縮小により、上記薬剤散布部３は上昇する一方、上記昇降用シリンダ６１の伸長により、上記薬剤散布部３は下降する。
【００３６】
上記薬剤散布部３は、上記本体フレーム１に上記リンク機構９を介して取り付けられると共に上記本体フレーム１の略幅方向に延在する第１のブーム１０と、この第１のブーム１０に沿って取り付けられると共に上記本体フレーム１の略幅方向に延在し下方に開口している第１のカバー部材１１と、この第１のカバー部材１１の内部に取り付けられると共に上記本体フレーム１の略幅方向に延在している第１のノズルパイプ１２とを備える。
【００３７】
さらに、上記薬剤散布部３は、上記第１のブーム１０の左右両側に起倒用シリンダ６２を介して取り付けられた第２のブーム２０および第３のブーム３０と、この第２のブーム２０に取り付けられた第２のカバー部材２１と、この第２のカバー部材２１の内部に取り付けられた第２のノズルパイプ２２と、上記第３のブーム３０に取り付けられた第３のカバー部材３１と、上記第３のカバー部材３１の内部に取り付けられた第３のノズルパイプ３２とを備える。なお、図２では、上記第２のブーム２０、上記第３のブーム３０、上記第２のカバー部材２１、上記第３のカバー部材３１、上記第２のノズルパイプ２２および上記第３のノズルパイプ３２を省略して描いている。
【００３８】
上記第２のブーム２０および上記第３のブーム３０は、上記第１のブーム１０と同様の構成である。上記第２のカバー部材２１および上記第３のカバー部材３１は、上記第１のカバー部材１１と同様の構成である。上記第２のノズルパイプ２２および上記第３のノズルパイプ３２は、上記第１のノズルパイプ１２と同様の構成である。
【００３９】
上記起倒用シリンダ６２，６２の伸長により、上記第２のブーム２０および上記第３のブーム３０は、水平状態に倒伏して、中央の上記第１のブーム１０と共に略直線を形成し、上記３つのブーム１０，２０，３０は、３列の茶畝５０上に対応する。一方、上記起倒用シリンダ６２，６２の縮小により、図３に示すように、上記第２のブーム２０および上記第３のブーム３０は、起立して、中央の上記第１のブーム１０と共に略三角形を形成し、上記本体フレーム１の左右幅内に折り畳まれる。
【００４０】
上記第１のノズルパイプ１２は、上記操作コック８と第１の薬液ホース１３にて連結されている。上記第２のノズルパイプ２２は、上記操作コック８と第２の薬液ホース２３にて連結されている。上記第３のノズルパイプ３２は、上記操作コック８と第３の薬液ホース３３にて連結されている。すなわち、上記薬液ポンプ７と上記操作コック８とは、１本の薬液ホース４３にて連結され、上記操作コック８と上記ノズルパイプ１２，２２，３２とは、３本の薬液ホース１３，２３，３３にて連結されている。そして、この操作コック８により、各ノズルパイプ１２，２２，３２へ選択的に薬液を注入するようにしてもよい。
【００４１】
上記ブーム１０，２０，３０、上記カバー部材１１，２１，３１および上記ノズルパイプ１２，２２，３２は、上方凸のアーチ状に形成されている。また、上記カバー部材１１，２１，３１の下方開口の周縁（図４に示す上記第１のカバー部材１１の下方開口の周縁１１ｃ）には、可撓性を有する補助カバー４５が、垂下するように取り付けられている。この補助カバー４５は、例えば、軟質合成樹脂やゴム等の材料からなる。この補助カバー４５は、シート状で、網目がない。この補助カバー４５の下端縁は、上記茶畝５０の上面に沿うような上方凸のアーチ状に形成されている。このように、この補助カバー４５の下端縁の形状、および、上記補助カバー４５の材質により、薬剤を散布するときに、この茶葉を傷めない。
【００４２】
次に、上記第１のカバー部材１１および上記第１のノズルパイプ１２についてさらに詳説する。なお、上記第２のカバー部材２１、上記第２のノズルパイプ２２、上記第３のカバー部材３１および上記第３のノズルパイプ３２は、同様の構成であるので、説明を省略する。
【００４３】
上記第１のカバー部材１１は、ステンレス、アルミニウムまたはプラスチック等の防錆性を有する材料からなる。また、上記第１のカバー部材１１の曲率半径は、茶畝５０の上面に対応した略３０００ｍｍである。上記第１のカバー部材１１の断面形状は、台形である。
【００４４】
図４（ａ）の平面図と、図４（ｂ）の背面図に示すように、上記第１のノズルパイプ１２は、上記第１のカバー部材１１の上部の内側に固定されているアーチ状の導管１５と、この導管１５に下方に突出するように設けられた複数のノズル部１６とを備える。このノズル部１６は、下方に開口している噴出孔１６ａを有する。
【００４５】
上記第１のカバー部材１１の上面１１ｂには、複数の通気孔１１ａを有する。この複数の通気孔１１ａは、それぞれ、上記第１のノズルパイプ１２の噴出孔１６ａの略真上に位置している。上記通気孔１１ａは、上記噴出孔１６ａよりも大きい。上記通気孔１１ａと上記噴出孔１６ａとは、略同心状に配置されている。
【００４６】
次に、この茶園用薬剤散布機の使用方法、作用および効果について説明する。
【００４７】
まず、茶畝５０に薬剤を散布する場合、図１と図２に示すように、上記起倒用シリンダ６２，６２を伸長して、上記３つのカバー部材１１，２１，３１を略直線状に配置すると共に、上記昇降用シリンダ６１，６１を伸長して、上記３つのカバー部材１１，２１，３１を下降させる。そして、上記３つのカバー部材１１，２１，３１に取り付けられた上記補助カバー４５を、それぞれ、茶畝５０の上面に略接触させる。
【００４８】
その後、上記操作コック８を開けて、上記薬液タンク６の薬液を、上記薬液ポンプ７を介して、上記３つのノズルパイプ１２，２２，３２に流入し、上記３つのノズルパイプ１２，２２，３２から薬剤を、上記３つのカバー部材１１，２１，３１の下側の矢印Ａに示すように、霧状に噴出して、３つの茶畝５０に同時に薬剤を散布する。
【００４９】
このとき、上記ノズルパイプ１２，２２，３２は、上記カバー部材１１，２１，３１の内部に取り付けられているので、このノズルパイプ１２，２２，３２から噴出された霧状の薬剤は、風の影響を受けずに、飛散されない。
【００５０】
そして、この霧状の薬剤は、上記シート状の補助カバー４５および上記カバー部材１１，２１，３１の内部で飽和状態となって、上記補助カバー４５および上記カバー部材１１，２１，３１の内面に水滴となり付着して、上記補助カバー４５および上記カバー部材１１，２１，３１の内面を伝わって、茶木５１上に落下する。
【００５１】
したがって、薬剤の無駄がなくなると共に、防除効果が大きくなる。特に、風が吹いているときでも、薬剤の飛散を確実に防止して、茶木５１への散布付着率を向上し、防除効果を大きくしつつ、薬剤の過剰投入を抑制できる。
【００５２】
また、薬剤の飛散が防止されるので、薬剤がオペレータに付着することを防止し、オペレータの健康を害することがない。しかも、この薬剤散布機本体への薬剤の付着を少なくして、錆の発生を防止し、この薬剤散布機の故障を少なくする。さらに、他の茶園への薬剤の漂着を防止して、他の茶園において、生産管理の妨げにならないようにし、厳正な生産履歴（トレーサビリティ）によって、信用性を向上できる。ここで、生産履歴とは、茶園の生産において、例えば、農薬の散布日、種類、量等を記載管理することをいう。
【００５３】
さらに、上記カバー部材１１，２１，３１は、上記通気孔を有するので、例えば、図４に示すように、上記第１のノズルパイプ１２から薬剤を噴出したとき、上記第１のカバー部材１１の上側の矢印Ｂに示すように、上記通気孔１１ａを通って上記第１のカバー部材１１の内部へ空気が流入されて気流が発生し、この気流により、上記薬剤が、上記第１のカバー部材１１の下側の矢印Ａに示すように、一定方向（下方向）に勢いよく流れる。すなわち、上記第１のカバー部材１１は、エジェクタの外筒として機能する。なお、図示しないが、上記第２のカバー部材２１および上記第３のカバー部材３１も同様に、エジェクタの外筒として機能する。
【００５４】
したがって、薬剤を茶木５１の内部に確実に到達させることができて、防除効果を一層大きくできる。また、上記気流によって空気と薬剤が良く混合し、更に霧状化が向上して茶木内の隅々への薬剤の付着率が向上する。すなわち、通気孔のないカバー部材を単に設けただけでは、ノズルパイプから薬剤を噴出したとき、カバー部材の下方の開口部付近で、カバー部材の内部方向への乱流が起こって、薬剤が散布され難くなる欠点がある。
【００５５】
また、図４に示すように、上記第１のカバー部材１１の通気孔１１ａは、上記第１のノズルパイプ１２の噴出孔１６ａの略真上に位置しているので、上記通気孔１１ａからの気流方向と、上記噴出孔１６ａからの噴出方向とを、略直線状に一致させることができ、薬剤を無駄なく確実に噴出することができる。なお、図示しないが、上記第２のカバー部材２１、上記第２のノズルパイプ２２、上記第３のカバー部材３１および上記第３のノズルパイプ３２も、同様の構成である。
【００５６】
次に、他の茶畝５０に移動して薬剤を散布する場合、上記昇降用シリンダ６１，６１を縮小して、上記３つのカバー部材１１，２１，３１を上昇させて、上記３つのカバー部材１１，２１，３１に取り付けられた上記補助カバー４５を、それぞれ、茶畝５０の上面から離間させる。そして、他の茶畝５０に移動して薬剤を散布する。
【００５７】
次に、薬剤の散布を終了する場合、図３に示すように、上記起倒用シリンダ６２，６２を縮小して、上記３つのカバー部材１１，２１，３１を略三角形状に配置すると共に、上記昇降用シリンダ６１，６１を縮小して、上記３つのカバー部材１１，２１，３１を上昇させる。
【００５８】
（第２の実施形態）
図５は、この発明の他の実施形態を示している。上記第１のカバー部材１１の通気孔１１ａの開閉を調整する開閉調節手段７０を備える。なお、上記第２のカバー部材２１および上記第３のカバー部材３１は、同様の構成であるので、説明を省略する。
【００５９】
具体的に述べると、上記開閉調節手段７０は、上記第１のカバー部材１１の上面１１ｂに取り付けられると共に、上記第１のカバー部材１１の長手方向に沿って往復にスライドして上記通気孔１１ａを開閉するスライドプレート７１を有する。なお、このスライドプレート７１は、図示しない駆動機構により、往復移動される。
【００６０】
この構成の茶園用薬剤散布機によれば、図５（ａ）に示すように、上記スライドプレート７１により上記通気孔１１ａを完全に開状態にし、また、上記スライドプレート７１を矢印方向に移動して、図５（ｂ）に示すように、上記スライドプレート７１により上記通気孔１１ａを完全に閉状態にし、また、図示しないが、上記スライドプレート７１により上記通気孔１１ａの開きの程度を自由に調整できる。
【００６１】
したがって、上記通気孔１１ａを大きくするにつれて、上記通気孔１１ａから流入される空気量を増加して、上記第１のカバー部材１１から噴出される薬剤の到達距離を長くすることができる。このように、茶木５１の大きさに合わせて、薬剤の到達距離を調整できて、薬剤を効率よく散布できる。
【００６２】
（第３の実施形態）
図６は、この発明の別の実施形態を示している。上記第１のカバー部材１１の通気孔１１ａの開閉を調整する開閉調節手段７０を備える。なお、上記第２のカバー部材２１および上記第３のカバー部材３１は、同様の構成であるので、説明を省略する。
【００６３】
具体的に述べると、上記開閉調節手段７０は、上記第１のカバー部材１１の上面１１ｂに取り付けられると共に、軸部７２ａ回りに回転して上記通気孔１１ａを開閉する回転プレート７２を有する。なお、この回転プレート７２は、図示しない駆動機構により、回動される。
【００６４】
この構成の茶園用薬剤散布機によれば、図６（ａ）に示すように、上記回転プレート７２により上記通気孔１１ａを完全に開状態にし、また、上記回転プレート７２を矢印方向に移動して、図６（ｂ）に示すように、上記回転プレート７２により上記通気孔１１ａを完全に閉状態にし、また、図示しないが、上記回転プレート７２により上記通気孔１１ａの開きの程度を自由に調整できる。
【００６５】
したがって、上記通気孔１１ａを大きくするにつれて、上記通気孔１１ａから流入される空気量を増加して、上記第１のカバー部材１１から噴出される薬剤の到達距離を長くすることができる。このように、茶木５１の大きさに合わせて、薬剤の到達距離を調整できて、薬剤を効率よく散布できる。
【００６６】
（第４の実施形態）
図示しないが、上記第１のブーム１０に上記第１のノズルパイプ１２を直接に取り付けて、図４に示す長尺の第１のカバー部材１１の代わりに、複数の短尺のカバー部材を、それぞれ、上記第１のノズルパイプ１２のノズル部１６に被せて、この複数の短尺のカバー部材を、上記第１のノズルパイプ１２に沿って配置するようにしてもよい。また、図４に示す上記第２のカバー部材２１および上記第３のカバー部材３１についても、同様の構成としてよい。
【００６７】
この構成の茶園用薬剤散布機によれば、上記第１の実施形態の効果に加えて、上記カバー部材を小さくできるので、上記カバー部材の材料のコストを低減できると共に、上記カバー部材の軽量化を図ることができる。
【００６８】
なお、上記ノズルパイプのノズル部を、複数個ずつ、一つの上記カバー部材にて覆うようにしてもよい。すなわち、少なくとも上記ノズルパイプの噴出孔を内部に配置するカバー部材を備えればよい。
【００６９】
（第５の実施形態）
図７は、この発明のさらに他の実施形態を示している。上記第１の実施形態と相違する点を説明すると、上記第１のカバー部材１１の下方開口の周縁１１ｃに、可撓性を有する網目状の補助カバー４６を設けている。なお、上記第２のカバー部材２１および上記第３のカバー部材３１については、同様の構成であるので、説明を省略する。
【００７０】
具体的に述べると、上記補助カバー４６は、軟質合成樹脂や綿等の材料からなる。上記補助カバー４６は、上記第１のカバー部材１１の下方開口の周縁１１ｃに、鍔付のボルト４７によって、取り付けられている。
【００７１】
このように、上記網目状の補助カバー４６を設けているので、上記第１のノズルパイプ１２から噴出された霧状の薬剤は、上記第１のカバー部材１１および上記補助カバー４６の内部で飽和状態とならないで水滴にならずに、茶木上に万遍なくいきわたる。このように、茶木に略均一に薬剤を散布することができる。また、上記補助カバー４６は可撓性を有するので、薬剤を散布するときに、上記補助カバー４６が茶葉に接触しても、茶葉を痛めない。また、上記網目状の補助カバー４６では、コストの低減を図ることができる。
【００７２】
また、上記網目状の補助カバー４６の網目の数は、２０〜５０メッシュであるのが好ましい。ここで、このメッシュとは、網目の数を表す単位であり、１インチ(２５．４ｍｍ）の間にある網目の数をいう。
【００７３】
このように、上記第１のノズルパイプ１２から噴出された霧状の薬剤は、水滴にならず、かつ、風によって飛散しない。すなわち、上記補助カバー４６の網目の数が、５０メッシュを越えると、霧状の薬剤は、飽和状態になって、水滴になる。一方、上記補助カバー４６の網目の数が、２０メッシュ未満であると、風の影響を受けて、飛散する。
【００７４】
なお、この発明は上述の実施形態に限定されない。例えば、上記第２のカバー部材２１、上記第２のノズルパイプ２２、上記第３のカバー部材３１および上記第３のノズルパイプ３２を省略して、上記第１のノズルパイプ１２にて１つの茶畝５０を薬剤散布するようにしてもよい。また、上記昇降用シリンダ６１を省略して、上記薬剤散布部３を手動で昇降し、または、上記薬剤散布部３の高さ位置を固定させてもよい。
【００７５】
また、上記通気孔１１ａを、上記カバー部材の上面において隣り合う上記噴出孔１６ａ，１６ａの間に設けてもよい。また、上記通気孔１１ａを上記カバー部材の側面に設けてもよい。また、上記通気孔１１ａの数量を増減してもよい。
【００７６】
また、上記ノズルパイプにおいて、上記ノズル部を設けずに、導管に直接に孔を設けて、噴出孔を形成するようにしてもよい。
【００７７】
また、上記スライドプレート７１や上記回転プレート７２のかわりに、上記通気孔１１ａに嵌め込み可能な（例えば、ゴム製の）閉鎖キャップであってもよい。この閉鎖キャップを上記通気孔１１ａに嵌め込むことで、上記通気孔１１ａは、完全に閉状態になる一方、上記閉鎖キャップを上記通気孔１１ａから取り外すことで、上記通気孔１１ａは、完全に開状態になる。このように、上記閉鎖キャップを用いることで、コストの低減を図ることができる。
【図面の簡単な説明】
【００７８】
【図１】この発明の茶園用薬剤散布機の一実施形態を示す背面図である。
【図２】この茶園用薬剤散布機の側面図である。
【図３】この茶園用薬剤散布機の無作業状態を示す簡略背面図である。
【図４】この茶園用薬剤散布機の要部拡大構成図である。
【図５】この茶園用薬剤散布機の他の実施形態を示す要部拡大作用説明図である。
【図６】この茶園用薬剤散布機の別の実施形態を示す要部拡大作用説明図である。
【図７】この茶園用薬剤散布機のさらに他の実施形態を示す要部拡大正面図である。
【符号の説明】
【００７９】
１    本体フレーム
１０  第１のブーム
１１  第１のカバー部材
１１ａ  通気孔
１１ｂ  上面
１１ｃ  下方開口の周縁
１２  第１のノズルパイプ
１６ａ  噴出孔
２０  第２のブーム
２１  第２のカバー部材
２２  第２のノズルパイプ
３０  第３のブーム
３１  第３のカバー部材
３２  第３のノズルパイプ
４５  シート状の補助カバー
４６  網目状の補助カバー
５０  茶畝
５１  茶木
７０  開閉調節手段
７１  スライドプレート
７２  回転プレート
【図１】
2005348724.tif 000003
【図２】
2005348724.tif 000004
【図３】
2005348724.tif 000005
【図４】
2005348724.tif 000006
【図５】
2005348724.tif 000007
【図６】
2005348724.tif 000008
【図７】
2005348724.tif 000009